(57)【要約】      （修正有）【課題】バーナキャップの下面外周部に炎口が形成された環状壁が設けられ、環状壁よりも径方向内方位置に環状の堤部が形成され、堤部より内方に煮こぼれ汁が侵入することを防止する様にしたコンロ用バーナにおいて、鍋の加熱効率が悪化しないようにする。【解決手段】バーナキャップ３の下面に、堤部２６よりも径方向内方位置で垂下するガイド壁３２が形成され、ガイド壁３２の下端に、堤部２６よりも径方向内方の空間に挿入されて堤部２６との間に混合気の流入通路を画成する、径方向外方に向けて上方に傾斜したガイド面３３が設けられる。ガイド面３３は、当該ガイド面３３の母線の延長線３３ａが環状壁３１の内周面に開口する炎口４の内端部の上縁４ａ以下の高さを通るように形成される。【選択図】図３
2015102267.tif 000002
【特許請求の範囲】
【請求項１】
バーナボディと、バーナボディ上に載置されるバーナキャップとを備え、バーナボディの上面外周部又はバーナキャップの下面外周部に、バーナボディとバーナキャップとの間に上下方向の隙間を確保する環状壁が設けられ、バーナボディの上面に、環状壁よりも径方向内方位置で上方に突出する環状の堤部が形成され、環状壁に、堤部よりも径方向内方の空間を介して供給される混合気が噴出する多数の炎口が形成されたコンロバーナであって、炎口の上縁が径方向外方に向けて上方に傾斜しているものにおいて、
バーナキャップの下面に、堤部よりも径方向内方位置で垂下するガイド壁が形成され、ガイド壁の下端に、堤部よりも径方向内方の空間に挿入されて堤部との間に混合気の流入通路を画成する、径方向外方に向けて上方に傾斜したガイド面が設けられ、
ガイド面は、当該ガイド面の母線の延長線が環状壁の内周面に開口する炎口の内端部の上縁以下の高さを通るように形成されることを特徴とするコンロバーナ。
【発明の詳細な説明】
【技術分野】
【０００１】
本発明は、バーナボディと、バーナボディ上に載置されるバーナキャップとを備え、バーナボディの上面外周部又はバーナキャップの下面外周部に、バーナボディとバーナキャップとの間に上下方向の隙間を確保する環状壁が設けられ、この環状壁に多数の炎口が形成されたコンロバーナに関する。
【背景技術】
【０００２】
従来、この種のコンロバーナとして、バーナボディの上面に、環状壁よりも径方向内方位置で上方に突出する環状の堤部とを形成して、堤部よりも径方向内方の空間を介して供給される混合気が炎口から噴出するようにしたものが知られている（例えば、特許文献１参照）。このものでは、炎口から煮こぼれ汁が流入しても、煮こぼれ汁は堤部で堰き止められて、堤部より内方に煮こぼれ汁が侵入することを防止できる。
【０００３】
また、鍋の加熱効率を向上させるには、炎口から噴出する混合気の燃焼で生成される燃焼ガスが鍋底の径方向内方部分に当たるようにする必要がある。そこで、従来、炎口の上縁を径方向外方に向けて上方に傾斜させ、混合気が上方への方向成分を持って炎口から噴出するようにしている。
【０００４】
然し、バーナボディの上面外周部に上記の如く堤部を形成すると、混合気が堤部の内方空間を上向きに流れてバーナキャップの下面に当たり、混合気の一部が下向きの方向成分を持って炎口に流入するようになる。その結果、炎口の上縁を径方向外方に向けて上方に傾斜させても、炎口からの混合気の噴出方向が水平になりやすく、鍋の加熱効率が悪くなってしまう。
【先行技術文献】
【特許文献】
【０００５】
【特許文献１】特開平１０−３１８５０６号公報
【発明の概要】
【発明が解決しようとする課題】
【０００６】
本発明は、以上の点に鑑み、バーナボディの上面に堤部を形成するにも拘らず鍋の加熱効率の悪化を生じないようにしたコンロ用バーナを提供することをその課題としている。
【課題を解決するための手段】
【０００７】
上記課題を解決するために、本発明は、バーナボディと、バーナボディ上に載置されるバーナキャップとを備え、バーナボディの上面外周部又はバーナキャップの下面外周部に、バーナボディとバーナキャップとの間に上下方向の隙間を確保する環状壁が設けられ、バーナボディの上面に、環状壁よりも径方向内方位置で上方に突出する環状の堤部とが形成され、環状壁に、堤部よりも径方向内方の空間を介して供給される混合気が噴出する多数の炎口が形成されたコンロバーナであって、炎口の上縁が径方向外方に向けて上方に傾斜しているものにおいて、バーナキャップの下面に、堤部よりも径方向内方位置で垂下するガイド壁が形成され、ガイド壁の下端に、堤部よりも径方向内方の空間に挿入されて堤部との間に混合気の流入通路を画成する、径方向外方に向けて上方に傾斜したガイド面が設けられ、ガイド面は、当該ガイド面の母線の延長線が環状壁の内周面に開口する炎口の内端部の上縁以下の高さを通るように形成されることを特徴とする。
【０００８】
本発明によれば、流入通路からガイド面の傾斜に沿う方向成分を持って混合気が環状壁側に流れる。そして、ガイド面の母線の延長線が環状壁の内周面に開口する炎口の内端部の上縁以下の高さを通るため、ガイド面の傾斜に沿う方向成分を持つ混合気は、環状壁よりも径方向内方でバーナキャップの下面に当たったり、炎口の内端部上縁より上方の環状壁の内周面に当たったりすることなく、炎口に流入する。従って、堤部が存在しても、混合気は確実に上方への方向成分を持って炎口から噴出して燃焼し、鍋の加熱効率が悪化することはない。
【図面の簡単な説明】
【０００９】
【図１】本発明の実施形態のコンロバーナの斜視図。
【図２】図１のＩＩ−ＩＩ線で切断した断面図。
【図３】実施形態のコンロバーナの要部の拡大断面図。
【図４】図３に対応する他の実施形態のコンロバーナの断面図。
【発明を実施するための形態】
【００１０】
図１を参照して、本発明の実施形態のコンロバーナ１は、図示省略したコンロ天板のバーナ用開口に挿通されるバーナボディ２と、バーナボディ２上のバーナキャップ３とを備えている。
【００１１】
バーナボディ２は、図２に示す如く、外側の筒体２１と中間の筒体２２と内側の筒体２３との内外３重の筒体を有する主体部と、内周に中間筒体２２に嵌合する筒部２４ａを垂設した環状のアダプタ２４とで構成されている。アダプタ２４の下面外周部には、外側筒体２１の上端部に着座する環状壁２４ｂが垂設されており、この環状壁２４ｂに多数の副炎口４´を形成している。
【００１２】
バーナキャップ３は、環状であって、下面外周部に環状壁３１が垂設されている。この環状壁３１は、バーナボディ２の上面外周部、即ち、アダプタ２４の上面外周部に形成した座面２５に着座し、アダプタ２４とバーナキャップ３との間に上下方向の隙間を確保される。そして、環状壁３１に、後述する堤部２６よりも径方向内方の空間を介して供給される混合気が噴出する多数の炎口４を形成している。
【００１３】
また、アダプタ２４の上面には、環状壁３１よりも径方向内方位置、即ち、座面２５よりも径方向内方位置で上方に突出する環状の堤部２６が形成されている。そのため、炎口４から煮こぼれ汁が流入しても、煮こぼれ汁は堤部２６で堰き止められて、堤部２６より内方に煮こぼれ汁が侵入することを防止できる。
【００１４】
バーナ１は、更に、バーナボディ２の中間筒体２２と内側筒体２３との間の空間に連通する第１混合管５１と、バーナボディ２の外側筒体２１と中間筒体２２との間の空間に連通する第２混合管５２とを備える。そして、第１混合管５１から供給される混合気が中間筒体２２と内側筒体２３との間の空間を経由して炎口４から噴出し、第２混合管５２から供給される混合気が外側筒体２１と中間筒体２２との間の空間を経由して副炎口４´から噴出するようにいている。
【００１５】
図１を参照して、第１混合管５１には、共通ガス供給路６から分岐した第１ガス供給路６１を介して燃料ガスが供給され、第２混合管５２には、共通ガス供給路６から分岐した第２ガス供給路６２を介して燃料ガスが供給される。共通ガス供給路６には、元電磁弁６１と、ガス流量調節弁６２とが介設され、また、第１ガス供給路６１には、電磁弁６３が介設されている。そして、電磁弁６３の閉弁と開弁とにより、副炎口４´のみから混合気を噴出させて燃焼させる状態と、炎口４からも混合気を噴出させて燃焼させる状態とに切換自在としている。
【００１６】
尚、第１混合管５１には、給気ファン７から一次空気が強制的に供給されるようにしている。また、バーナ１の周方向一箇所には点火プラグ８が設けられている。
【００１７】
ところで、鍋の加熱効率を向上させるには、炎口４から噴出する混合気の燃焼で生成される燃焼ガスが鍋底の径方向内方部分に当たるようにする必要がある。そこで、炎口４の上縁を径方向外方に向けて上方に傾斜させ、混合気が上方への方向成分を持って炎口４から噴出するようにしている。また、本実施形態では、混合気に上方への方向成分を与えやすくするため、炎口４の下縁となる座面２５も径方向外方に向けて上方に傾斜させている。
【００１８】
但し、上記の如く堤部２６を形成した場合は、混合気が堤部２６の内方空間を上向きに流れてバーナキャップ３の下面に当たり、混合気の一部が下向きの方向成分を持って炎口４に流入するようになって、炎口４の上縁を径方向外方に向けて上方に傾斜させても、炎口４からの混合気の噴出方向が水平になりやすくなる。
【００１９】
そこで、本実施形態では、バーナキャップ３の下面に、堤部２６よりも径方向内方位置で垂下するガイド壁３２を形成し、ガイド壁３２の下端に、堤部２６よりも径方向内方の空間に挿入されて堤部２６との間に混合気の流入通路を画成する、径方向外方に向けて上方に傾斜したガイド面３３を設けている。そして、図３に明示する如く、ガイド面３３を、当該ガイド面３３の母線の延長線３３ａが環状壁３１の内周面に開口する炎口４の内端部の上縁４ａ以下の高さを通るように形成している。
【００２０】
これによれば、流入通路からガイド面３３の傾斜に沿う方向成分を持って混合気が環状壁３１側に流れる。そして、ガイド面３３の母線の延長線３３ａが炎口４の内端部上縁４ａ以下の高さを通るため、ガイド面３３の傾斜に沿う方向成分を持つ混合気は、環状壁３１よりも径方向内方でバーナキャップ３の下面に当たったり、炎口４の内端部上縁４ａより上方の環状壁３１の内周面に当たったりすることなく、炎口４に流入する。従って、堤部２６が存在しても、混合気は確実に上方への方向成分を持って炎口４から噴出して燃焼し、鍋の加熱効率が悪化することはない。
【００２１】
尚、ガイド壁３２は、バーナボディ２の内側筒体２３に外嵌するように筒状に形成されている。また、座面２５と堤部２６との間に溜まった煮こぼれ汁が堤部２６を越えて侵入することがないように、堤部２６の上端は、座面２５の上端より高くなっている。
【００２２】
ところで、上記実施形態では、環状壁３１の内周面に段部は形成されていないが、図４に示す実施形態の如く、環状壁３１の内周面の炎口４の内端部上縁４ａ以上の高さの上端部分に、径方向内方に張り出し、径方向内端部が堤部２６よりも径方向外方に位置する段部３１ａを形成してもよい。これによれば、炎口４の上縁を伝って流入する煮こぼれ汁を堤部２６よりも径方向外方位置で段部３１ａの径方向内端部から落下させて、堤部２６よりも内方への煮こぼれ汁の落下を防止できる。
【００２３】
この場合も、上記実施形態と同様に、ガイド面３３の母線の延長線３３ａが炎口４の内端部上縁４ａ以下の高さを通るようにガイド面３３を形成することで、ガイド面３３の傾斜に沿う方向成分を持つ混合気は、段部３１ａに当たることなく、炎口４に流入する。
【００２４】
以上、本発明の実施形態について図面を参照して説明したが、本発明はこれに限定されない。例えば、上記実施形態では、座面２５を径方向外方に向かって上方に傾斜する傾斜面に形成しているが、座面２５の周方向一部、例えば、一部の炎口４に合致する部分に、下方への窪みを形成し、座面２５と堤部２６との間に溜まった煮こぼれ汁が窪みを介して外方に排出されるようにしてもよい。
【００２５】
また、上記実施形態では、バーナキャップ３の下面外周部に環状壁３１を垂設しているが、バーナボディ２を構成するアダプタ２４の上面外周部に環状壁を立設して、この環状壁に炎口４を形成することも可能である。また、上記実施形態のコンロバーナ１は、アダプタ２４付きで炎口４の下方に副炎口４´を有するものであるが、アダプタ２４を省略した副炎口４´を有しないコンロバーナにも同様に本発明を適用できる。
【符号の説明】
【００２６】
１…コンロバーナ、２…バーナボディ、２６…堤部、３…バーナキャップ、３１…環状壁、３２…ガイド壁、３３…ガイド面、３３ａ…ガイド面の母線の延長線、４…炎口、４ａ…炎口の内端部上縁。
【図１】
2015102267.tif 000003
【図２】
2015102267.tif 000004
【図３】
2015102267.tif 000005
【図４】
2015102267.tif 000006